(57)【特許請求の範囲】
【請求項１】
キートップを押下可能に支持したハウジングとベースプレートの間に可動接点と固定接点を有するメンブレン接点シートを挟み、キートップの押下により可動接点を固定接点に接触させてスイッチを閉成するキースイッチ構造において、
メンブレン接点シートに複数の透孔を設け、
ハウジングを１キー単位に形成すると共に、このハウジングに前記可動接点及び固定接点を囲うように複数の固定ピンを形成し、
ベースプレートには前記透孔と対応する複数の突起と前記固定ピンに対応する複数の取り付け孔を設けて、組み立て時にこれらの突起を前記透孔に通すと共に、取り付け孔に前記固定ピンを圧入することにより前記ハウジングをメンブレン接点シートと共に前記ベースプレートに固定したことを特徴とするキースイッチ構造。
【請求項２】
請求項１において、
ベースプレートの裏面で取り付け孔の周囲に凹部を形成し、この取り付け孔に圧入した固定ピンの先端を加熱により偏平状に変形させて前記凹部に納めると共に、前記取り付け孔を塞ぐように凹部に溶着させたことを特徴とするキースイッチ構造。
【請求項３】
請求項１において、
第１のリンク部材と第２のリンク部材を互いに回転可能にＸ状に組み、第１のリンク部材の一端をキートップに回転可能に支持すると共に、第２のリンク部材を前記キートップに回転可能にかつ水平方向に移動可能に支持し、
前記第１のリンク部材の他端をハウジングに回転可能にかつ水平方向に移動可能に支持すると共に、前記第２のリンク部材の他端を前記キートップに回転可能に支持し、
メンブレン接点シートは可動接点と固定接点を有する２枚の可撓性シート間に弾性を有するスペーサを挟み込んだ構造として、
このスペーサ上で前記第１，第２のリンク部材の他端が前記メンブレン接点シートに接触するようにしたことを特徴とするキースイッチ構造。
【請求項４】
請求項１において、
ベースプレートに設けた複数の突起はメンブレン接点シートと同等の厚さとしたことを特徴とするキースイッチ構造。
【請求項５】
請求項１または請求項３において、
キートップとメンブレン接点シートの間に、メンブレン接点シートの可動接点を押下げる押下突起を内面中央に有する略カップ状の弾性部材を設け、
この弾性部材の下部全周を支持するリング状のガイド壁をハウジングの内側に形成したことを特徴とするキースイッチ構造。
【請求項６】
キートップを押下可能に支持したハウジングとベースプレートの間に可動接点と固定接点を有するメンブレン接点シートを挟み、キートップの押下により可動接点を固定接点に接触させてスイッチを閉成するキースイッチ構造において、
ハウジングを１キー単位に形成すると共に、このハウジングに前記可動接点及び固定接点を囲うように複数の固定ピンを形成し、
ベースプレートには前記固定ピンに対応する複数の取り付け孔を設けて、これらの取り付け孔に前記固定ピンを圧入することにより前記ハウジングをメンブレン接点シートと共に前記ベースプレートに固定し、
かつ、第１のリンク部材と第２のリンク部材を互いに回転可能にＸ状に組み、第１のリンク部材の一端をキートップに回転可能に支持すると共に、第２のリンク部材の一端を前記キートップに回転可能にかつ水平方向に移動可能に支持し、
前記第１のリンク部材の他端をハウジングに回転可能にかつ水平方向に移動可能に支持すると共に、前記第２のリンク部材の他端を前記キートップに回転可能に支持し、メンブレン接点シートは可動接点と固定接点を有する２枚の可撓性シート間に弾性を有するスペーサを挟み込んだ構造として、
このスペーサ上で前記第１，第２のリンク部材の他端が前記メンブレン接点シートに接触するようにし、
更に、第１，第２のリンク部材のそれぞれのメンブレン接点シート側の面に互いの回転部を中心に対称をなすように突起を設け、
この突起と対応するようにメンブレン接点シートの可撓性シート間にリング状のスペーサを設けて、キートップの押下によって前記第１，第２のリンク部材がそれぞれ回転したとき、それぞれの突起が前記可撓性シートを変形させて前記スペーサに入り込むようにしたことを特徴とするキースイッチ構造。
【請求項７】
キートップを押下可能に支持したハウジングとベースプレートの間に可動接点と固定接点を有するメンブレン接点シートを挟み、キートップの押下により可動接点を固定接点に接触させてスイッチを閉成するキースイッチ構造において、
ハウジングを１キー単位に形成すると共に、このハウジングに前記可動接点及び固定接点を囲うように複数の固定ピンを形成し、
ベースプレートには前記固定ピンに対応する複数の取り付け孔を設けて、これらの取り付け孔に前記固定ピンを圧入することにより前記ハウジングをメンブレン接点シートと共に前記ベースプレートに固定し、
かつ、第１のリンク部材と第２のリンク部材を互いに回転可能にＸ状に組み、第１のリンク部材の一端をキートップに回転可能に支持すると共に、第２のリンク部材の一端を前記キートップに回転可能にかつ水平方向に移動可能に支持し、
前記第１のリンク部材の他端をハウジングに回転可能にかつ水平方向に移動可能に支持すると共に、前記第２のリンク部材の他端を前記キートップに回転可能に支持し、メンブレン接点シートは可動接点と固定接点を有する２枚の可撓性シート間に弾性を有するスペーサを挟み込んだ構造として、
このスペーサ上で前記第１，第２のリンク部材の他端が前記メンブレン接点シートに接触するようにし、
更に、第１，第２のリンク部材のそれぞれのメンブレン接点シート側の面に互いの回転部を中心に対称をなすように突起を設け、
この突起と対応するようにメンブレン接点シートの可撓性シート間に設けられたスペーサに貫通穴を設けて、
キートップの押下によって前記第１，第２のリンク部材がそれぞれ回転したとき、それぞれの突起が前記可撓性シートを変形させて前記貫通穴に入り込むようにしたことを特徴とするキースイッチ構造。
【発明の詳細な説明】
【０００１】
【発明の属する技術分野】
本発明は、情報処理装置の入力装置に用いるキースイッチ構造に係り、特に、薄型の要求の強い可搬型のパーソナルコンピュータやワードプロセッサ等のキーボードに用いられるキースイッチ構造に関する。
【０００２】
【従来の技術】
図１２は従来のキースイッチ構造を示す断面図、図１３は分解斜視図である。
このキースイッチ構造は、キートップ２１、第１リンク部材２２、第２リンク部材２３、弾性部材２４、ハウジング２５、メンブレン接点シート２６、ベースプレート２７、及びネジ２８により構成されている。
【０００３】
キートップ２１には、第１リンク部材２２の一端を回転可能に支持する回転支持部２１ａ，２１ｂと、第２リンク部材２３の一端を回転可能にかつ水平方向に平行移動（運動）可能に支持するスライド支持部２１ｃ，２１ｄが設けられている。
第１リンク部材２２は一対の脚部２２ａ，２２ｂを有し、該脚部２２ａ，２２ｂの一端にはキートップ２１の回転支持部２１ａ，２１ｂに挿入される第１連結棒２２ｃが脚部２２ａ，２２ｂを連結するように設けられ、同様に脚部２２ａ，２２ｂの他端には、第２連結棒２２ｄが脚部２２ａ，２２ｂを連結するように設けられている。
【０００４】
更に、脚部２２ａ，２２ｂの各々には、第１連結棒２２ｃと第２連結棒２２ｄとをつなぐ線上にあって、かつそれぞれの連結棒２２ｃ，２２ｄに対して等距離となる位置に軸２２ｅ，２２ｆが設けられている。
第２リンク部材２３は一対の脚部２３ａ，２３ｂを有し、該脚部２３ａ，２３ｂの一端にはキートップ２１のスライド支持部２１ｃ，２１ｄに回転可能にかつ水平方向に平行移動（運動）可能に支持される第１支持突起２３ｃ，２３ｄが、他端には第１リンク部材２２の両連結棒２２ｃ，２２ｄ間と等しい距離に第２支持突起２３ｅ，２３ｆがそれぞれ設けられている。
【０００５】
また、第１支持突起２３ｃ，２３ｄと第２支持突起２３ｅ，２３ｆをつなぐ線上にあってかつ各々の支持突起２３ｃ，２３ｄ；２３ｅ，２３ｆに対して等距離となる位置に軸穴２３ｇ，２３ｈが設けられている。
更に、脚部２３ａ，２３ｂは各々の第１支持突起２３ｃ，２３ｄよりも先端側において連結部２３ｉにより連結されている。
【０００６】
第１リンク部材２２と第２リンク部材２３は、第１リンク部材２２の回転軸２２ｅ，２２ｆを、第２リンク部材２３の回転孔２３ｇ，２３ｈに嵌合することにより回転自在に係合されている。
弾性部材２４はゴム等を素材として略カップ状に形成され、内面中央部に接点押下部２４ａが突出形成されており、この弾性部材２４はその上部がキートップ２１の裏面に接するように、メンブレン接点シート２６上に配置されている。
【０００７】
ハウジング２５は複数のキーに対応する複数の孔を有しており、孔の一端付近に第１リンク部材２２の第２連結棒２２ｄを回転可能にかつ水平方向に平行移動（運動）可能に支持するためのスライドガイド２５ａ，２５ｂが設けられ孔の他端付近には第２リンク部材２３の第２支持突起２３ｅ，２３ｆを回転自在に支持するための回転ガイド２５ｃ，２５ｄが設けられている。
【０００８】
また、ハウジング２５の孔の両端には、弾性部材２４を固定する円弧形のガイド壁２５ｅが対向するように設けられ、更にメンブレン接点シート２６及びベースプレート２７を固定するネジ穴２５ｆが設けられている。
メンブレン接点シート２６は、２枚の可撓性シート２６ａ，２６ｂと、この２枚の可撓性シート２６ａ，２６ｂに挟まれたスペーサシート２６ｃから成り、このスペーサシート２６ｃには複数の貫通穴２６ｆが設けられている。
【０００９】
この貫通穴２６ｆは２枚の可撓性シート２６ａ，２６ｂ間に空間を形成し、この空間内で互いに対向して位置するように、ベースプレート２７側の可撓性シート２６ｂには固定接点２６ｄが、弾性部材２４側の可撓性シート２６ａには可動接点２６ｅがそれぞれ設けられている。
ベースプレート２７は、以上の部品を搭載するように下部に配置され、ハウジング２５とベースプレート２７の間にメンブレン接点シート２６を挟み込んで、ベースプレート２７から通したネジ２８をハウジング２５のネジ孔２５ｆに締め付けることで組み立てられている。
【００１０】
この構成において、ネジ２８とネジ孔２５ｆはキー数個に対して１個の割合で設けられている。
図１４は上述した構成の作用を示す断面図である。
まず、キートップ２１が指等で押下されて下方に移動するのに伴い、第１リンク部材２２はキートップ２１の回転支持部２１ａ，２１ｂに回転自在に支持された第１連結棒２２ｃを回転の中心として時計方向に回転運動し、この第１リンク部材２２の他端側に設けられた第２連結棒２２ｄが、ハウジング２５のスライドガイド２５ａ，２５ｂに沿って水平方向に摺動運動する。
【００１１】
第２リンク部材２３は軸穴２３ｇ，２３ｈに第１リンク部材２２の軸２２ｅ，２２ｆが回転自在に嵌合しているため、第１リンク部材２２の動作に伴って第２リンク部材２３の第１支持突起２３ｃ，２３ｄがキートップ２１のスライド支持部２１ｃ，２１ｄに沿って水平方向に摺動運動し、ハウジング２５の回転ガイド２５ｃ，２５ｄに回転自在に支持された第２支持突起２３ｅ，２３ｆを回転の中心として第２リンク部材２３は反時計方向に回転運動する。
【００１２】
その結果、キートップ２１はハウジング２５に対して平行を保ちながら下方へ移動し、このキートップ２１の下方への移動に伴い、キートップ２１の裏面が弾性部材２４の上部を押圧するので、この弾性部材２４は圧縮変形するとともに該弾性部材２４の内部に形成されて下方に突出している接点押下部２４ａがメンブレン接点シート２６の可撓性シート２６ａに当接してこれを押圧する。
【００１３】
これにより、図１４（ａ）に示したように可動接点２６ｅが固定接点２６ｄに接触して電気的に接続し、スイッチは閉成状態となる。
更に、キートップ２１を押下すると、第２リンク部材２３の連結部２３ｉが第１支持突起２３ｃ，２３ｄよりも端部側に設けられているため、第１リンク部材２２と第２リンク部材２３とは重なることなく、どちらもハウジング２５に対して水平となる位置まで回転する。
【００１４】
キートップ２１の押下を解除すると、各構成部品は弾性部材２４の復元力によって図１４ (ｂ) に示したように元の状態に戻り、メンブレン接点シート２６の可動接点２６ｅが固定接点２６ｄから離れ、これにより電気的接触が絶たれるためスイッチは開放状態となる。
【００１５】
【発明が解決しようとする課題】
しかしながら、上述した従来の技術では、ハウジングが各キー共通の部品として一体化成形により薄く形成されていて、ベースプレートへの固定個所が少ないため、ネジで固定していない部分がベースプレートから浮き上がってしまい、その結果、キースイッチの全体の高さが不均一になってキースイッチの電気的接続位置が不安定になるという問題を有している。
【００１６】
また、一般に持ち運びが容易な装置のキーボードとして、キースイッチの全体の高さを低くし、質量を軽くすることが必要であるが、従来の構造では、キートップを小型化することができず、質量を軽くすることが困難であるという問題もあり、更に前記のようにハウジングが各キー共通の部品として一体化成形されているためキー配列の自由度が制限されるという問題もある。
【００１７】
従って、本発明は、ハウジングのベースプレートからの浮き上がり防止してキースイッチの電気的接続位置の安定化を図ると共に、キートップを小型化して質量を軽くすることが可能で、しかもキー配列の自由度が大きいキースイッチ構造を実現することを課題としている。
【００１８】
【課題を解決するための手段】
そのため、本発明は、キートップを押下可能に支持したハウジングとベースプレートの間に可動接点と固定接点を有するメンブレン接点シートを挟み、キートップの押下により可動接点を固定接点に接触させてスイッチを閉成するキースイッチ構造において、メンブレン接点シートに複数の透孔を設け、ハウジングを１キー単位に形成すると共に、このハウジングに前記可動接点及び固定接点を囲うように複数の固定ピンを形成し、ベースプレートには前記透孔と対応する複数の突起と前記固定ピンに対応する複数の取り付け孔を設けて、組み立て時にこれらの突起を前記透孔に通すと共に、取り付け孔に前記固定ピンを圧入することにより前記ハウジングをメンブレン接点シートと共に前記ベースプレートに固定したことを特徴とする。
【００１９】
【発明の実施の形態】
以下、図面を参照して本発明によるキースイッチ構造の実施の形態について説明する。
図１は第１の実施の形態を示す断面図で、図２は第１の実施の形態を示す分解斜視図である。
【００２０】
本実施の形態のキースイッチ構造は、キートップ１、第１リンク部材２、第２リンク部材３、弾性部材４、ハウジング５、メンブレン接点シート６、及びベースプレート７により構成されている。
キートップ１には、従来のものと同様に第１リンク部材２の一端を回転可能に支持する回転支持部１ａ，１ｂと、第２リンク部材３の一端を回転可能にかつ水平方向に平行移動（運動）可能に支持するスライド支持部１ｃ，１ｄが設けられている。
【００２１】
第１リンク部材２も、従来のものと同様に一対の脚部２ａ，２ｂを有し、該脚部２ａ，２ｂの一端にはキートップ１の回転支持部１ａ，１ｂに挿入支持される第１連結棒２ｃが脚部２ａ，２ｂを連結するように設けられ、同様に脚部２ａ，２ｂの他端には、第２連結棒２ｄが脚部２ａ，２ｂを連結するように設けられていて、更に、脚部２ａ，２ｂの各々の外面には、第１連結棒２ｃと第２連結棒２ｄとをつなぐ線上にあって、かつそれぞれの連結棒２ｃ，２ｄに対して等距離となる位置に軸２ｅ，２ｆが設けられている。
【００２２】
第２リンク部材３は一対の脚部３ａ，３ｂを有し、該脚部３ａ，３ｂの一端にはキートップ１のスライド支持部１ｃ，１ｄに回転可能にかつ水平方向に平行移動（運動）可能に支持される第１支持突起３ｃ，３ｄが外側に向けて設けられ、他端には第１リンク部材２の両連結棒２ｃ，２ｄ間と等しい距離に第２支持突起３ｅ，３ｆが内側に向けて設けられている。
【００２３】
また、第１支持突起３ｃ，３ｄと第２支持突起３ｅ，３ｆをつなぐ線上にあってかつ各々の支持突起３ｃ，３ｄ；３ｅ，３ｆに対して等距離となる位置に軸穴３ｇ，３ｈが設けられている。
更に、脚部３ａ，３ｂは第１支持突起３ｃ，３ｄよりも先端側において連結部３ｉにより連結されている。
【００２４】
弾性部材４も従来のものと同様にゴム等を素材として略カップ状に形成され、内面中央部に接点押下部４ａが突出形成されている。
ハウジング５は１キー単位に分割して枠状に形成され、その一端付近に第１リンク部材２の第２連結棒２ｄを回転可能にかつ水平方向に平行移動（運動）可能に支持するためのスライドガイド５ａが設けられていて、他端付近には第２リンク部材３の第２支持突起３ｅ，３ｆを回転自在に支持する回転ガイド５ｃ，５ｄが設けられている。
【００２５】
また、ハウジング５の両端中央には、弾性部材４の外周部を固定する円弧形のガイド壁５ｅが対向するように設けられ、更にハウジング５の下面にはメンブレン接点シート６の貫通穴６ｆを囲うように複数個所に所定の長さの固定ピン５ｆが形成されている。
メンブレン接点シート６は、２枚の可撓性シート６ａ，６ｂと、この２枚の可撓性シート６ａ，６ｂに挟まれたスペーサシート６ｃから成り、このスペーサシート６ｃには複数のキーに対応して複数の貫通穴６ｆが設けられている。
【００２６】
この貫通穴６ｆは２枚の可撓性シート６ａ，６ｂ間に空間を形成し、この空間内で互いに対向して位置するように、ベースプレート７側の可撓性シート６ｂには固定接点６ｄが、弾性部材４側の可撓性シート６ａには可動接点６ｅがそれぞれ設けられていて、更に各貫通穴６ｆの周囲に位置するようにメンブレン接点シート６に複数の透孔６ｇが設けられている。
【００２７】
ベースプレート７は以上の各部品を搭載するように下部に配置されたもので、このベースプレート７にはメンブレン接点シート６の透孔６ｇに対応してメンブレン接点シート６と同等の厚さのスペーサ突起７ａが形成されており、各スペーサ突起７ａの中央にハウジング５の固定ピン５ｆを通す取り付け孔７ｂが貫通するように設けられていて、更にベースプレート７の下面側において各取り付け孔７ｂの周囲に凹部（座ぐり）７ｃが形成されている。
【００２８】
この構成において各部品は以下のように組み立てられる。
第１リンク部材２の軸２ｅ，２ｆを第２リンク部材３の軸穴３ｇ，３ｈを嵌合することにより、第１リンク部材２と第２リンク部材３を回転自在にＸ状に組合わせ、また、第１リンク部材２の第１連結棒２ｃをキートップ１の回転支持部１ａ，１ｂに挿入すると共に、第２リンク部材３の第１支持突起３ｃ，３ｄをキートップ１のスライド支持部１ｃ，１ｄに回転可能にかつ水平方向に平行移動（運動）可能に挿入する。
【００２９】
一方、ベースプレート７上にメンブレン接点シート６を載せてベースプレート７の各スペーサ突起１６ａをメンブレン接点シート６の透孔６ｇに通し、各スペーサ突起６ａの取り付け孔６ｂに上方からハウジング５の固定ピン５ｆを圧入する。
そして、ベースプレート７の下面側に突出した固定ピン５ｆの先端を加熱により図１の如く偏平状に変形させるとことで、ハウジング５をメンブレン接点シート６と共にベースプレート７上に固定し、これにより固定ピン５ｆの変形部５ｇをベースプレート７の凹部６ｃ内に納めると共に、この凹部６ｃに溶着させて取り付け孔６ｂを閉塞する。
【００３０】
更に、弾性部材４の下部をガイド壁５ｅの内側に嵌め込んでメンブレン接点シート６上に固定し、その上からキートップ１を被せて、第１リンク部材２の第２連結棒２ｄをハウジング５のスライドガイド５ａに挿入すると共に、第２リンク部材３の第２支持突起３ｅ，３ｆをハウジング５の回転ガイド５ｃ，５ｄに挿入する。
【００３１】
以上の構成による第１の実施の形態のスイッチ動作は従来のものと同様であるのでその説明は省略するが、ハウジング５が１キー単位に形成されていて、各ハウジング５を複数の固定ピン５ｆにより複数カ所でベースプレート７に固定しているため、ハウジング５がベースプレート７から浮き上がることがなくなり、これにより各キースイッチの高さが均一になるのでキースイッチの電気的接続位置が安定するものとなる。
【００３２】
また、固定ピン５ｆは先端を加熱により偏平状に変形させるとことで、ハウジング５をメンブレン接点シート６と共にベースプレート７上に固定し、これにより固定ピン５ｆの変形部５ｇをベースプレート７の凹部６ｃ内に納めるので、装置を薄型に構成できると共に、変形部５ｇを凹部６ｃに溶着させて取り付け孔６ｂを閉塞するため防滴性も得られる。
【００３３】
更に、第２リンク部材３の第２支持突起３ｅ，３ｆを内側に向けて設けているため、キートップ１を小型化することができ、これにより全体の質量と軽くすることができるので、運搬の利便性が向上する。
図３は第２の実施の形態を示す断面図である。
この第２の実施の形態はメンブレン接点シート６の構造を変えたものである。
【００３４】
すなわち、本実施の形態においてメンブレン接点シート６は、図示したように２枚の可撓性シート６ａ，６ｂと、この２枚の可撓性シート６ａ，６ｂに挟まれたスペーサ６ｈから成り、このスペーサ６ｈはレジスト印刷により形成されていて、弾性を有している。
スペーサ６ｈが設けられる部分は、ハウジング５のスライドガイド５ａ及び回転ガイド５ｃ，５ｄに相当する部分で、従ってスライドガイド５ａに回転支持される第１リンク部材２の第２連結棒２ｄはスペーサ６ｈの位置でメンブレン接点シート６に接触し、回転及び水平方向に平行移動するようになっている。
【００３５】
無論、回転ガイド５ｃ，５ｄに回転自在に支持された第２リンク部材３の第２支持突起３ｅ，３ｆもスペーサ６ｈの位置でメンブレン接点シート６に接触し、回転する。
この他の構成については第１の実施の形態と同様で、スイッチ動作も同様に行われる。
【００３６】
このようにした第２の実施の形態は、第１の実施の形態と同様の効果が得られる他、第１リンク部材の第２連結棒２ｄと、第２リンク部材３の第２支持突起３ｅ，３ｆは、弾性を有するスペーサ６ｈを挟み込んだメンブレン接点シート６と接触して、回転及び水平方向に平行移動するため、メンブレン接点シート６の厚みが均一になりキートップ１を平行に抑えられる。
【００３７】
また、リンク部材の剛性を確保しつつキー全体の高さを低くすることができ、かつ弾性を有するスペーサの部分が支持部分となって、ハウジング及びリンク部材との製造誤差による隙間を吸収することができるので、互いの部品の揺れ動きを減らして動作音を小さく抑えることができる。
図４は第３の実施の形態を示す断面図である。
【００３８】
この第３の実施の形態は、ハウジング５をキートップ１の全周面にスカート状に形成される斜面１ｅの内側に収まる大きさに形成したもので、キートップ１及びハウジング５の構造自体は第１の実施の形態または第２の実施の形態と同様である。
また、その他の構成についても第１の実施の形態または第２の実施の形態と同様である。
【００３９】
このような構成による第３の実施の形態では、図示したようにキートップ１を押下しても、ハウジング５の外周及びスライドガイド５ａや回転ガイド５ｃ，５ｄがキートップ１に当たることがなく、キートップ１の下降範囲の下端で第１，第２リンク部材２，３がキートップ１に干渉し、キートップ１の移動が止められる。
【００４０】
従って、この第３の実施の形態によれば、第１実施の形態または第２の実施の形態の効果に加え、キートップ１の押下時、キートップ１の傾きに対してもスイッチ特性が影響されにくくなり、キートップ１のストローク長が短い場合でも安定したスイッチ動作特性が得られる。
図５は第４の実施の形態を示す断面図、図６は第４の実施の形態の分解斜視図である。
【００４１】
図７は第４の実施の形態における第１リンク部材の構成を示す図で、（ａ）は平面図、 (ｂ) は側面図、 (ｃ) は裏面図である。
図８は第４の実施の形態における第２リンク部材の構成を示す図で、（ａ）は平面図、 (ｂ) は側面図、 (ｃ) は裏面図である。
図９は第４の実施の形態におけるハウジングの構成を示す図で、（ａ）は平面図、 (ｂ) は側面図、 (ｃ) は要部拡大図である。
【００４２】
図１０は第４の実施の形態におけるメンブレン接点シートの構成を示す図で、（ａ）は要部平面図、 (ｂ) は同じく要部断面図、 (ｃ) は動作時の要部断面図である。
本実施の形態のキースイッチ構造は、キートップ１１、第１リンク部材１２、第２リンク部材１３、弾性部材１４、ハウジング１５、メンブレン接点シート１６、及びベースプレート１７により構成されている。
【００４３】
キートップ１１には、第１の実施の形態のものと同様に第１リンク部材１２の一端を回転可能に支持する回転支持部１１ａ，１１ｂと、第２リンク部材１３の一端を回転可能にかつ水平方向に平行移動（運動）可能に支持するスライド支持部１１ｃ，１１ｄが設けられており、加えてキートップ１１の中央部には弾性部材１４の上部中央に設けられた嵌合穴１４ａに嵌合する突起１１ｅが設けられている。
【００４４】
第１リンク部材１２は一対の脚部１２ａ，１２ｂを有し、該脚部１２ａ，１２ｂの一端にはキートップ１１の回転支持部１１ａ，１１ｂに挿入される第１連結棒２ｃが脚部１２ａ，１２ｂを連結するように設けられ、同様に脚部１２ａ，１２ｂの他端には、第２連結棒１２ｄが脚部１２ａ，１２ｂを連結するように設けられている。
【００４５】
更に、脚部１２ａ，１２ｂの各々の外側には、第１連結棒１２ｃと第２連結棒１２ｄとをつなぐ線上にあって、かつそれぞれの連結棒１２ｃ，１２ｄに対して等距離となる位置に軸穴１２ｅ，１２ｆが設けられており、そして脚部１２ａ，１２ｂの裏面（下面）には、図７に示したように突起１２ｊ，１２ｋがそれぞれ設けられている。
【００４６】
第２リンク部材１３も一対の脚部１３ａ，１３ｂを有し、該脚部１３ａ，１３ｂの両端は各々の連結部１３ｉ，１３ｊにより対称に連結されている。
脚部１３ａ，１３ｂの一端にはキートップ１１のスライド支持部１１ｃ，１１ｄに回転可能にかつ水平方向に平行移動（運動）可能に支持される第１支持突起１３ｃ，１３ｄが連結部３ｉを挟んで対称に設けられ、他端には第１リンク部材１２の両連結棒１２ｃ，１２ｄ間と等しい距離に第２支持突起３ｅ，３ｆが連結部３ｊを挟んで対称に設けられている。
【００４７】
また、脚部１３ａ，１３ｂの内面には、第１支持突起１３ｃ，１３ｄと第２支持突起１３ｅ，１３ｆとをつなぐ線上にあってかつ各々の支持突起１３ｃ，１３ｄ，１３ｅ，１３ｆに対して等距離となる位置に軸１３ｇ，１３ｈが設けられている。
更に、脚部１３ａ，１３ｂの裏面（下面）には、図８に示したように突起１３ｎ，１３ｏが軸１３ｇ，１３ｈを中心にして第１リンク部材１２の突起１２ｊ，１２ｋと対称をなすように設けられている。
【００４８】
弾性部材１４はゴム等を素材として略カップ状に形成され、上部中央に嵌合穴１４ａを有し、内面中央部に接点押下部１４ｂが突出形成されており、下部外周には肉厚部１４ｃが形成されている。
ハウジング１５は１キー単位に分割して枠状に形成されており、一端に第１リンク部材１２の第２連結棒１２ｄを回転可能にかつ水平方向に平行移動（運動）可能に支持するためのスライドガイド１５ａが設けられ、他端付近には第２リンク部材１３の第２支持突起１３ｅ，１３ｆを回転自在に支持するための回転ガイド１５ｂ，１５ｃが設けられていて、この回転ガイド１５ｂ，１５ｃに隣接して第２リンク部材１３の外壁面１３ｆ，１３ｍに沿う突起１５ｆ，１５ｇが設けられている。
【００４９】
また、ハウジング１５の一端内側には、弾性部材４の肉厚部１４ｃ全周を囲む形で固定するリング状のガイド壁１５ｄが設けられていて、このガイド１壁５ｅの上面には肉厚部１４ｃを上から押さえこむ複数の爪部１４ｅが所定の間隔で形成されており、更にハウジング１５の下面には図９に示したようにメンブレン接点シート１６のスペーサ１６ｃを囲うように複数個所に所定の長さの固定ピン１５ｈが形成されている。
【００５０】
メンブレン接点シート１６は、図１０に示したように可撓性シート１６ａ，１６ｂと、この２枚の可撓性シート１６ａ，１６ｂに挟まれたリング状のスペーサ１６ｃ，１６ｆから成り、このスペーサ１６ｃ，１６ｆはレジスト印刷により形成され、弾性を有している。
そして、スペーサ１６ｃの内側において可撓性シート１６ｂには固定接点１６ｄが、可撓性シート１６ａには可動接点１６ｅがそれぞれ設けられており、スペーサ１６ｃの外側には、第１リンク部材１２の突起１２ｊ，１２ｋ及び第２リンク部材１３の突起１３ｎ，１３ｏと対応するように図１０に示すスペーサ１６ｆが４個設けられていて、これらを囲むように複数の透孔１６ｇがメンブレン接点シート１６に設けられている。
【００５１】
ベースプレート１７は以上の各部品を搭載するように下部に配置されたもので、このベースプレート１７にはメンブレン接点シート１６の透孔１６ｇに対応してメンブレン接点シート１６と同等の厚さのスペーサ突起１７ａが形成されており、各スペーサ突起１７ａの中央にハウジング１５の固定ピン１５ｈを通す取り付け孔１７ｂが貫通するように設けられていて、更にベースプレート１７の下面側において各取り付け孔１７ｂの周囲に凹部（座ぐり）が形成されている。
【００５２】
この構成において各部品は以下のように組み立てられる。
第１リンク部材１２の軸穴１２ｅ，１２ｆに第２リンク部材３の軸３ｇ，３ｈを嵌合することにより、第１リンク部材１２と第２リンク部材１３をＸ状に回転自在に組合わせ、また第１リンク部材１２の第１連結棒２ｃをキートップ１１の回転支持部１１ａ，１１ｂに挿入すると共に、第２リンク部材１３の第１支持突起１３ｃ，１３ｄをキートップ１１のスライド支持部１１ｃ，１１ｄに回転可能にかつ水平方向に平行移動（運動）可能に挿入する。
【００５３】
一方、ベースプレート１７上にメンブレン接点シート１６を載せてベースプレート１７の各スペーサ突起１６ａをメンブレン接点シート１６の透孔１６ｇに通し、各スペーサ突起１６ａの取り付け孔１６ｂに上方からハウジング１５の固定ピン１５ｈを圧入する。
そして、ベースプレート１７の下面側に突出した固定ピン１５ｈの先端を加熱により第１の実施の形態と同様に偏平状に変形させるとことで、ハウジング１５をメンブレン接点シート１６と共にベースプレート１７上に固定し、これにより固定ピン１５ｈの変形した部分が第１の実施の形態と同様にベースプレート１７の凹部内に納めると共に、この凹部に溶着させることで取り付け孔１６ｂを閉塞する。
【００５４】
更に、弾性部材１４の肉厚部１４ｃをリング状のガイド壁１５ｄ内に嵌め込んでガイド壁１５ｄに形成された複数の爪部１５ｅにより肉厚部１４ｃを上から押さえ込み、これにより弾性部材１４の下部全周をガイド壁１５ｄで支持してメンブレン接点シート１６上に固定し、その上からキートップ１１を被せて突起１１ｅを弾性部材１４の嵌合穴１４ａに嵌合させ、また、第１リンク部材１２の第２連結棒１２ｄをハウジング１５のスライドガイド１５ａに挿入すると共に、第２リンク部材１３の第２支持突起１３ｅ，１３ｆをハウジング１５の回転ガイド１５ｂ，１５ｃに挿入する。
【００５５】
次に上述した構成の作用について説明する。
まず、キートップ１１が等により押下されて下方に移動するのに伴い、第１リンク部材１２はキートップ１１の回転支持部１１ａ，１１ｂに回転自在に支持された第１連結棒１２ｃを回転の中心として時計方向に回転運動し、この第１リンク部材１２の他端側に設けられた第２連結棒１２ｄが、ハウジング１５のスライドガイド１５に沿って水平方向に摺動運動する。
【００５６】
第２リンク部材１３は軸３ｇ，３ｈが第１リンク部材１２の軸穴１２ｅ，１２ｆに回転自在に嵌合しているため、第１リンク部材１２の動作に伴って第２リンク部材２３の第１支持突起１３ｃ，１３ｄがキートップ１１のスライド支持部１１ｃ，１１ｄに沿って水平方向に摺動運動し、ハウジング１５の回転ガイド１５ｂ，１５ｃに回転自在に支持された第２支持突起１３ｅ，１３ｆを回転中心として第２リンク部材１３は反時計方向に回転運動する。
【００５７】
その結果、キートップ１１はハウジング１５に対して平行を保ちながら下方へ移動し、このキートップ１１の下方への移動に伴い、キートップ１１の裏面がハウジング１５のガイド壁１５ｄによって位置決め固定された弾性部材１４の上部を押圧するので、この弾性部材１４は圧縮変形すると共に、該弾性部材１４の内部に形成されている接点押下部１４ｂがメンブレン接点シート１６の可撓性シート２６ａに当接してこれを押圧する。
【００５８】
これにより、可動接点２６ｅが固定接点２６ｄに接触して電気的に接続し、スイッチは閉成状態となる。
更に、キートップ２１を押下すると、第１リンク部材１２の脚部１２ａ，１２ｂと第２リンク部材１３の脚部１３ａ，１３ｂがハウジング１５の内側に入り込み、メンブレン接点シート１６に対して水平に接触する。
【００５９】
このとき、第１リンク部材１２の脚部１２ａ，１２ｂに設けられている突起１２ｊ，１２ｋ、及び第２リンク部材１３の脚部１３ａ，１３ｂに設けられている突起１３ｎ，１３ｏは、図１０ (ｃ) に示したようにメンブレン接点シート１６の可撓性シート２６ａを変形させながらリング状のスペーサ１６ｆの内側に入り込み、キートップ２１に対する緩衝作用を生じて、打鍵音の発生を抑制する。
【００６０】
尚、キートップ１１の端部が押下された場合でも、第２リンク部材１３の脚部１３ａ，１３ｂの外面１３ｋまたは１３ｍがハウジング１５の突起部１５ｆまたは１５ｇの内面に沿って摺動するため、第１リンク部材１２と第２リンク部材１３は前記と同様に円滑に動作可能である。
キートップ１１の押下を解除すると、各構成部品は弾性部材１４とメンブレン接点シート１６の復元力によって元の状態に戻り、メンブレン接点シート１６の可動接点１６ｅが固定接点１６ｄから離れ、これにより電気的接触が絶たれるためスイッチは開放状態となる。
【００６１】
以上説明した第４の実施の形態によれば、第１の実施の形態と同様の効果が得られる他、キートップ２１の押下時に第１リンク部材１２の突起１２ｊ，１２ｋと第２リンク部材１３の突起１３ｎ，１３ｏがメンブレン接点シート１６の可撓性シート２６ａを変形させながらリング状のスペーサ１６ｆの内側に入り込むことで、キートップ２１に対する緩衝作用を生じるため、打鍵音を小さくすることができると共に、第１リンク部材１２の突起１２ｊ，１２ｋと第２リンク部材１３の突起１３ｎ，１３ｏは小さいので、メンブレン接点シート１６のパターン設計に対する影響を小さく押さえることが可能となる。
【００６２】
また、キートップ１１の端部が押下された場合でも、第２リンク部材１３の脚部１３ａ，１３ｂの外面１３ｋまたは１３ｍがハウジング１５の突起部１５ｆまたは１５ｇの内面に沿って摺動するため、第１リンク部材１２と第２リンク部材１３は前記と同様に円滑かつ安定した動作が可能になり、これによりキートップ１１の端部が押下された場合の打鍵音を小さくすることができると共に、揺れ動きの少ない操作感触を確保できるものとなる。
【００６３】
更に、ハウジング１５にリング状のガイド壁１５ｄを形成し、このガイド壁１５ｄの内側に弾性部材１４の下部を嵌め込んでいるため、弾性部材１４は全周に渡ってガイド壁１５ｄに支持されるものとなり、耐衝撃性に優れた構造になる。図１１は第５の実施の形態を示す図で、メンブレン接点シートの構成を示し、（ａ）は要部斜視図、 (ｂ) は同じく要部断面図、 (ｃ) は動作時の要部断面図である。
【００６４】
この第５の実施の形態はメンブレン接点シート１６の構造を変えたもので、メンブレン接点シート１６は、２枚の可撓性シート１６ａ，１６ｂと、この可撓性シート１６ａ，１６ｂに挟まれたスペーサシート１６ｉから成り、このスペーサシート１６ｉには複数のキーに対応して複数の貫通穴１６ｊが設けられている。この貫通穴１６ｊは２枚の可撓性シート６ａ，６ｂ間に空間を形成し、この空間内で互いに対向して位置するように、ベースプレート１７側の可撓性シート１６ｂには固定接点１６ｄが、弾性部材４側の可撓性シート１６ａには可動接点１６ｅがそれぞれ設けられている。
【００６５】
また、スペーサシート１６ｉには貫通穴１６ｊの外側において第１リンク部材１２の突起１２ｊ，１２ｋ及び第２リンク部材１３の突起１３ｎ，１３ｏと対応するように４個の貫通穴１６ｋが設けられていて、これらを囲むように複数の透孔１６ｇがメンブレン接点シート１６に設けられている。
尚、この他の構成は第４の実施の形態と同様であり、また各部品も第４の実施の形態と同様に組み立てられている。
【００６６】
このような構成による第５の実施の形態は、キートップ１１を押下することで第４の実施の形態と同様に可動接点２６ｅが固定接点２６ｄに接触して電気的に接続し、スイッチは閉成状態となる。
そして、更に、キートップ１１を押下すると、第１リンク部材１２の脚部１２ａ，１２ｂと第２リンク部材１３の脚部１３ａ，１３ｂがハウジング１５の内側に入り込み、メンブレン接点シート１６に対して水平に接触する。
【００６７】
このとき、第１リンク部材１２の脚部１２ａ，１２ｂに設けられている突起１２ｊ，１２ｋ、及び第２リンク部材１３の脚部１３ａ，１３ｂに設けられている突起１３ｎ，１３ｏは、図１１ (ｃ) に示したようにメンブレン接点シート１６の可撓性シート２６ａを変形させながら貫通穴１６ｊの内側に入り込み、キートップ２１に対する緩衝作用を生じて、打鍵音の発生を抑制する。
【００６８】
キートップ１１の押下を解除すると、各構成部品は弾性部材１４とメンブレン接点シート１６の復元力によって元の状態に戻ることは第４の実施の形態と同様である。
以上説明した第５の実施の形態でも、第４の実施の形態と同様の効果が期待でる。
【００６９】
【発明の効果】
以上説明したように本発明は、キートップを押下可能に支持したハウジングとベースプレートの間に可動接点と固定接点を有するメンブレンシートを挟み、キートップを押下の押下により可動接点を固定接点に接触させてスイッチを閉成するキースイッチ構造において、ハウジングを１キー単位に形成すると共に、このハウジングに前記可動接点及び固定接点を囲うように複数の固定ピンを形成し、ベースプレートには前記固定ピンに対応する複数の取り付け孔を設けて、これらの取り付け孔に前記固定ピンを圧入することにより前記ハウジングをメンブレンシートと共に前記ベースプレートに固定するものとしている。
【００７０】
従って、これによれば、１キー単位のハウジングを複数個所で固定するので、ベースプレートからのハウジング浮き上がり防止してキースイッチの電気的接続位置の安定化を図ることができるという効果が得られる。
また、１キー単位のハウジングを１キー単位で形成するため、キー配列の自由度が大きくなるという効果も得られる。
【図面の簡単な説明】
【図１】発明の第１の実施の形態を示す断面図。
【図２】第１の実施の形態の分解斜視図。
【図３】第２の実施の形態を示す断面図。
【図４】第３の実施の形態を示す断面図。
【図５】第４の実施の形態を示す断面図。
【図６】第４の実施の形態の分解斜視図。
【図７】第４の実施の形態の第１リンク部材を示す図。
【図８】第４の実施の形態の第２リンク部材を示す図。
【図９】第４の実施の形態のハウジングを示す図。
【図１０】第４の実施の形態のメンブレン接点シートを示す図。
【図１１】第５の実施の形態のメンブレン接点シートを示す図。
【図１２】従来技術を示す断面図。
【図１３】従来技術の分解斜視図。
【図１４】従来技術の作用を示す断面図。
【符号の説明】
１  キートップ
１ａ，１ｂ  回転支持部
１ｃ，１ｄ  スライド支持部
１ｅ  斜面
２  第１リンク部材
２ａ，２ｂ  脚部
２ｃ  第１連結棒
２ｄ  第２連結棒
２ｅ，２ｆ  軸
３  第２リンク部材
３ａ，３ｂ  脚部
３ｃ，３ｄ  第１支持突起
３ｅ，３ｆ  第２支持突起
３ｇ，３ｈ  軸穴
３ｉ  連結部
４  弾性部材
４ａ  接点押下部
５  ハウジング
５ａ，５ｂ  スライドガイド
５ｃ，５ｄ  回転ガイド
５ｅ  ガイド壁
５ｆ  固定ピン
５ｇ  変形部
６  メンブレン接点シート
６ａ，６ｂ  可撓性シート
６ｃ  スペーサシート
６ｆ  貫通穴
６ｇ  透孔
６ｄ  固定接点
６ｅ  可動接点
６ｈ  スペーサ
７  ベースプレート
７ａ  スペーサ突起
７ｂ  取り付け孔
７ｃ  凹部
１１  キートップ
１１ａ，１ｂ  回転支持部
１１ｃ，１ｄ  スライド支持部
１１ｅ  突起
１２  第１リンク部材
１２ａ，２２ｂ  脚部
１２ｃ  第１連結棒
１２ｄ  第２連結棒
１２ｅ，１２ｆ  軸穴
１２ｋ，１２ｊ  突起
１３  第２リンク部材
１３ａ，１３ｂ  脚部
１３ｃ，１３ｄ  第１支持突起
１３ｅ，１３ｆ  第２支持突起
１３ｇ，１３ｈ  軸
１３ｉ，１３ｊ  連結部
１３ｎ，１３ｏ  突起
１４  弾性部材
１４ａ  嵌合穴
１４ｂ  接点押下部
１４ｃ  肉厚部
１５  ハウジング
１５ａ  スライドガイド
１５ｂ，１５ｃ  回転ガイド
１５ｄ  ガイド壁
１５ｅ  爪
１５ｈ  固定ピン
１６  メンブレン接点シート
１６ａ，１６ｂ  可撓性シート
１６ｃ  スペーサ
１６ｄ  固定接点
１６ｅ  可動接点
１６ｆ，１６ｈ  スペーサ
１６ｇ  透孔
１６ｉ，１６ｋ  貫通穴
１７  ベースプレート
１７ａ  スペーサ突起
１７ｂ  取り付け孔
【図１】
0004341733.tif 000002
【図２】
0004341733.tif 000003
【図３】
0004341733.tif 000004
【図４】
0004341733.tif 000005
【図５】
0004341733.tif 000006
【図６】
0004341733.tif 000007
【図７】
0004341733.tif 000008
【図８】
0004341733.tif 000009
【図９】
0004341733.tif 000010
【図１０】
0004341733.tif 000011
【図１１】
0004341733.tif 000012
【図１２】
0004341733.tif 000013
【図１３】
0004341733.tif 000014
【図１４】
0004341733.tif 000015